(57)【要約】【課題】記録密度を高めた高周波磁界アシスト記録を可能とする磁気記録ヘッド、及び磁気記録再生装置を提供する。【解決手段】  媒体対向面を有する主磁極６１と、媒体対向面に平行な第１の方向において主磁極６１に隣接して設けられたスピントルク発振子１０と、媒体対向面に平行でかつ第１の方向と直行する第２の方向においてスピントルク発振子１０を挟んで設けられた第１シールド６３と、第１の方向においてスピントルク発振子１０の主磁極６１に隣接する側とは反対の側に設けられた第２シールドと、を備え、第１シールド６３がグラニュラ磁性体を含むことを特徴とする磁気記録ヘッド。【選択図】図１
2011170925.tif 000002
【特許請求の範囲】
【請求項１】
媒体対向面を有する主磁極と、
前記媒体対向面に平行な第１の方向において前記主磁極に隣接して設けられたスピントルク発振子と、
前記媒体対向面に平行でかつ前記第１の方向と直交する第２の方向において前記スピントルク発振子を挟んで設けられた第１シールドと、
前記第１の方向において前記スピントルク発振子の前記主磁極に隣接する側とは反対の側に設けられた第２シールドと、
を備え、
前記第１シールドがグラニュラ磁性体を含むことを特徴とする磁気記録ヘッド。
【請求項２】
媒体対向面を有する主磁極と、
前記媒体対向面に平行な第１の方向において前記主磁極に隣接して設けられたスピントルク発振子と、
前記媒体対向面に平行でかつ前記第１の方向と直交する第２の方向において前記スピントルク発振子を挟んで設けられた第１シールドと、
前記第２の方向において前記スピントルク発振子の前記第１シールドに隣接する側とは反対の側に設けられ、かつ前記第１の方向において前記スピントルク発振子の前記主磁極に隣接する側とは反対の側に設けられた第２シールドと、
を備え、
前記第１シールドがグラニュラ磁性体を含み、
前記第２シールドが合金磁性体を含むことを特徴とする磁気記録ヘッド。
【請求項３】
媒体対向面を有する主磁極と、
前記媒体対向面に平行な第１の方向において前記主磁極に隣接して設けられたスピントルク発振子と、
前記媒体対向面に平行でかつ前記第１の方向と直交する第２の方向において前記スピントルク発振子と隣接して片側に設けられた第１シールドと、
前記第２の方向において前記第１シールドの前記スピントルク発振子に隣接する側とは反対の側に設けられ、かつ前記第１の方向において前記スピントルク発振子の前記主磁極に隣接する側とは反対の側に設けられた第２シールドと、
を備え、
前記第１シールドがグラニュラ磁性体を含み、
前記第２シールドが合金磁性体を含むことを特徴とする磁気記録ヘッド。
【請求項４】
前記グラニュラ磁性体に含まれる磁性粒子が、
ＫｕＶ＜ｋBＴ
（式中、Ｋｕは前記磁性粒子の異方性エネルギー（ｅｒｇ／ｃｃ）であって、Ｖは前記磁性粒子の体積（ｃｃ）であって、Ｋｂはボルツマン定数（１．３８×１０−１６（ｅｒｇ／Ｋ）であって、Ｔは絶対温度（Ｋ）である。）の関係を満たすことを特徴とする請求項１乃至３のいずれかに記載の磁気記録ヘッド。
【請求項５】
前記グラニュラ磁性体に含まれる磁性粒子が、ＦｅＣｏ、ＦｅＣｏＳｉ、ＮｉＦｅ、ＣｏＺｒＮｂ、ＦｅＮ、ＦｅＳｉ、ＦｅＡｌＳｉ、ＦｅＣｏＡｌ、ＣｏＮｉＦｅ、ＣｏＣｒ、ＣｏＣｒＰｔ、ＣｏＣｒＴａ、ＣｏＣｒＴａＰｔ、ＣｏＣｒＴａＮｂ、ＴｂＦｅＣｏ、ＣｏＰｔ、ＦｅＰｔ、ＣｏＰｄ、ＦｅＰｄ、及びＳｍＣｏから選択されることを特徴とする請求項１乃至３のいずれかに記載の磁気記録ヘッド。
【請求項６】
前記合金磁性体は、ＦｅＣｏ、ＦｅＣｏＳｉ、ＮｉＦｅ、ＣｏＺｒＮｂ、ＦｅＮ、ＦｅＳｉ、ＦｅＡｌＳｉ、ＦｅＣｏＡｌ、及びＣｏＮｉＦｅから選択されることを特徴とする請求項２又は３に記載の磁気記録ヘッド。
【請求項７】
前記スピントルク発振子は、
前記主磁極から印加される磁界より小さい保磁力を有する第１磁性層と、
前記主磁極から印加される磁界より小さい保磁力を有する第２磁性層と、
前記第１磁性層と前記第２磁性層との間に設けられた中間層と、
を備え、
前記第１磁性層の前記中間層が設けられた側とは反対の側に設けられ、前記スピントルク発振子に通電可能な第１の電極と、
前記第２磁性層の前記中間層が設けられた側とは反対の側に設けられ、前記スピントルク発振子に通電可能な第２の電極とを備えることを特徴とする請求項１乃至３に記載の磁気記録ヘッド。
【請求項８】
磁気記録媒体と、
請求項７に記載の磁気記録ヘッドと、
前記磁気記録媒体と前記磁気記録ヘッドとを離間させ又は接触させた状態で対峙させながら相対的に移動可能とした可動部と、
前記磁気記録ヘッドを前記磁気記録媒体の所定記録位置に位置合せする位置制御部と、
前記磁気記録ヘッドを用いて前記磁気記録媒体への信号の書き込みと読出しを行う信号処理部と、
を備えることを特徴とする磁気記録再生装置。
【請求項９】
前記磁気記録媒体は、隣接し合う記録トラック同士が非磁性部材を介して形成されたディスクリートトラック媒体であることを特徴とする請求項８に記載の磁気記録再生装置。
【請求項１０】
前記磁気記録媒体は、非磁性部材を介して孤立した記録磁性ドットが規則的に配列形成されたディスクリートビット媒体であることを特徴とする請求項８に記載の磁気記録再生装置。
【発明の詳細な説明】
【技術分野】
【０００１】
本発明は、磁気記録ヘッド及びそれを用いた磁気記録再生装置に関する。
【背景技術】
【０００２】
米国特許出願公開第２００５／０２３７６６５号明細書には、主磁極から発生する磁場を遮蔽するために、サイドシールドが設けられた磁気記録ヘッドが開示されている。
【０００３】
しかしながら、米国特許出願公開第２００５／０２３７６６５号明細書に記載された磁気記録ヘッドに、高周波磁界を発生するスピントルク発振子（以下、ＳＴＯという）を組み込むと、サイドシールドが十分に高周波磁界を吸収することができない。これは、ＳＴＯが発生する高周波磁界が１５ＧＨｚ〜３０ＧＨｚと非常に高いためである。すなわち、サイドシールドから高周波磁界が漏れてしまう。
【０００４】
よって、ＳＴＯを組み込んだ磁気記録ヘッドを用いて磁気記録媒体に磁化を書き込もうとすると、磁気記録媒体の隣接トラックへ高周波磁界が漏れてしまう。この隣接トラックへ漏れた高周波磁界が、磁気記録媒体に既に記録されていた情報を消去してしまう恐れがある。さらに、隣接トラックへ漏れた高周波磁界が、磁気記録媒体を劣化させてしまう恐れがある。その結果、隣接トラックのビットエラーレートが悪化することが問題となる。
【０００５】
したがって、記録密度を高めた高周波アシスト記録を実現することが困難となる。
【先行技術文献】
【特許文献】
【０００６】
【特許文献１】米国特許出願公開第２００５／０２３７６６５号明細書
【発明の概要】
【発明が解決しようとする課題】
【０００７】
そこで、本発明は安定して磁化を書き込むことができる磁気記録ヘッド、及び高密度記録を実現することが可能な磁気記録再生装置を提供することを目的とする。
【課題を解決するための手段】
【０００８】
本発明の第１の態様に係る磁気記録ヘッドは、媒体対向面を有する主磁極と、前記媒体対向面に平行な第１の方向において前記主磁極に隣接して設けられたスピントルク発振子と、前記媒体対向面に平行でかつ前記第１の方向と直交する第２の方向において前記スピントルク発振子を挟んで設けられた第１シールドと、前記第１の方向において前記スピントルク発振子の前記主磁極に隣接する側とは反対の側に設けられた第２シールドと、を備え、前記第１シールドがグラニュラ磁性体を含むことを特徴とする。
【発明の効果】
【０００９】
本発明によれば、安定して磁化を書き込むことができる磁気記録ヘッド、及び高密度記録を実現することが可能な磁気記録再生装置を提供することができる。
【図面の簡単な説明】
【００１０】
【図１】本発明の第１の実施形態に係る磁気記録ヘッド１１０を示す図。
【図２】第１の実施形態に係る磁気記録ヘッド１１０が搭載されるヘッドスライダー３の構成を例示する模式的斜視図。
【図３】第１の実施形態に係る磁気記録ヘッド１１０の浮上面からの構造を例示する模式図。
【図４】第１の実施形態に係る磁気記録ヘッド１１０に組み込まれたＳＴＯの構造を例示する模式図。
【図５】第１の実施形態に係る磁気記録ヘッド１１０の変形例を例示する模式図。
【図６】第１の実施形態に係る磁気記録ヘッド１１０の変形例を例示する模式図。
【図７】本発明の第２の実施形態に係る磁気記録装置１５０の構成を例示する模式的斜視図。
【図８】第２の実施形態に係る磁気記録装置１５０の一部の構成を例示する模式的斜視図。
【図９】第２の実施形態に係る磁気記録装置１５０の磁気記録媒体８０の構成を例示する模式的斜視図。
【図１０】第２の実施形態に係る磁気記録装置１５０の磁気記録媒体８０の構成を例示する模式的斜視図。
【発明を実施するための形態】
【００１１】
以下図面を参照して、本発明の各実施形態を説明する。同じ符号が付されているものは同様のものを示す。
（第１の実施形態）
【００１２】
図１は、本発明の第１の実施形態に係る磁気記録ヘッド１１０及び磁気記録媒体８０を示す図である。矢印８５は磁気記録媒体８０の進行方向（第１の方向）を示す。磁気記録媒体８０の表面で矢印８５に垂直な方向がトラック幅方向（第２の方向）である。
【００１３】
本実施形態に係る磁気記録ヘッド１１０は、再生ヘッド部７０と書き込みヘッド部６０を備えている。
【００１４】
再生ヘッド部７０は、磁気シールド層７２ａと磁気シールド層７２ｂを備えている。また、磁気シールド層７２ａと磁気シールド層７２ｂとの間に更に磁気再生素子７１が設けられている。
【００１５】
書き込みヘッド部６０は、主磁極６１とリターンパス６２（第２シールド）と高周波シールド６３（第１シールド）６３とＳＴＯ１０を備えている。また、書き込みヘッド部６０は、励磁コイルを備えている（図示せず）。
【００１６】
なお、再生ヘッド部７０と書き込みヘッド部６０を構成する各要素は、アルミナ等の絶縁体により分離されている（図示せず）。
【００１７】
磁気再生素子７１は、例えばＧＭＲ（Ｇｉａｎｔ  Ｍａｇｎｅｔｒｏ  Ｒｅｓｉｓｔａｎｃｅ）素子やＴＭＲ（Ｔｕｎｎｅｌ  Ｍａｇｎｅｔｏ−Ｒｅｓｉｓｔｉｖｅ  ｅｆｆｅｃｔ）素子などを用いることができる。また、再生分解能をあげるために、磁気再生素子７１は、２枚の磁気シールド層７２ａ、７２ｂの間に設置される。
【００１８】
図２は、本実施形態に係る磁気記録ヘッド１１０が搭載されたヘッドスライダー３を示す図である。
【００１９】
ヘッドスライダー３は、Ａｌ２Ｏ３／ＴｉＣなどからなり、磁気記録媒体８０の上を浮上又は接触しながら相対的に運動できるように設計・加工されている。そして、ヘッドスライダー３は、空気流入側３Ａと空気流出側３Ｂとを有し、磁気記録ヘッド１１０は、空気流出側３Ｂの側面などに配置される。
【００２０】
磁気記録媒体８０は、基板８２とその上に設けられた磁気記録層８１とを有する。書き込みの動作は、書き込みヘッド部６０から磁界を磁気記録媒体８０に印加することで行われる。このとき、磁気記録層８１の磁化は所定の方向に制御される。読み込みの動作は、再生ヘッド部７０が磁気記録層８１の磁化の方向を読み取ることで行われる。
【００２１】
図３は、書き込みヘッド部６０の媒体対向面を磁気記録媒体８０の表面から垂直方向に眺めた図を示す。矢印８５は磁気記録媒体８０の進行方向を示す。また、主磁極６１は媒体対向面を有する。すなわち、主磁極６１の媒体対向面に平行な第１の方向に隣接してＳＴＯ１０が設けられている。そして、第１の方向と直交するトラック幅方向（第２の方向）両側から、ＳＴＯ１０は、高周波シールド６３に挟まれている。トラック幅方向は図３に示す紙面平行方向に存在する。また、高周波シールド６３はグラニュラ磁性体から構成されている。
【００２２】
また、トラック幅方向に垂直な方向（第１の方向）において、ＳＴＯ１０の主磁極６１に隣接する側とは反対の側にリターンパス６２が設けられている。リターンパス６２は合金磁性材料等からなる。主磁極６１は第１の電極と兼用しており、リターンパス６２は第２の電極と兼用している。これら第１の電極（主磁極６１）と第２の電極（リターンパス６２）は、ＳＴＯ１０に接続している。第１の電極（主磁極６１）と第２の電極（リターンパス６２）により、ＳＴＯ１０の積層方向に平行に通電することができる。ＳＴＯ１０の積層方向に平行に通電することにより、ＳＴＯ１０は安定に発振することができる。なお、ＳＴＯ１０は、第１の電極と第２の電極に直接設けられていることが好ましい。また、ＳＴＯ１０と第１電極の間、又はＳＴＯ１０と第２電極の間に導電性の良い材料を設けても良い。
【００２３】
また、主磁極６１及びリターンパス６２は電極として兼用しなくても良い。すなわち、主磁極６１又はリターンパス６２が電極として兼用しない場合には、電極として兼用しない方の主磁極６１又はリターンパス６２のどちらか一方に別の電極を設けることでＳＴＯ１０に通電させることができる。つまり、媒体対向面に垂直な方向へ別の電極を設けることでＳＴＯ１０に通電しても良い。この場合、主磁極６１とリターンパス６２をバックヨーク部で接触させることが可能となるため、主磁極６１とリターンパス６２の磁気回路の磁気抵抗を低減し、回路効率を良くすることが可能となる。すなわち、励磁コイルに印加する電流が少なくても、大きな記録磁界強度を達成することが可能となる。その結果、該当トラックへの書き込み能力が増大し、良好なビットエラーレートを得ることができる。
【００２４】
グラニュラ磁性体とは、非磁性体の母材中に小さな磁性を帯びた磁性粒子が分散した構成をいう。
【００２５】
グラニュラ磁性体を用いることで、グラニュラ磁性体を構成する磁性粒子間の交換結合力による相互作用を減少させることができる。磁性体間の相互作用の減少により、各磁性体の磁化がより自由に外部磁界に応答することができる。よって、ＳＴＯ１０が発生する高周波磁界を吸収することができる。このことにより、記録媒体８０での、高周波磁界の強度分布が、トラック幅方向で急峻となる。つまり、隣接トラックへの高周波磁界の漏れ磁界の低減が可能となる。その結果、隣接トラックへの書き込み能力が低減する。この結果、隣接トラックでの既情報の消去・劣化が抑制され、良好なビットエラーレートを得ることができる。
【００２６】
また、トラック幅方向において、高周波シールド６３の大きさは、ＳＴＯ１０の大きさと同じくらいであることが好ましい。トラック幅方向において、ＳＴＯ１０よりも高周波シールド６３が大きいと、高周波シールド６３が主磁極６１と相互作用をしてしまうからである。また、トラック幅方向において、ＳＴＯ１０よりも高周波シールド６３が小さいと、主磁極６１が発生する磁界を高周波シールド６３が吸収しきれない恐れがある。よって、このようにすることでＳＴＯ１０とグラニュラ磁性体との相互作用を小さくすることができる。この結果、より少ない駆動電流でＳＴＯ１０を安定に発振させることが可能となり、安定した高周波アシスト記録ができる。
【００２７】
グラニュラ磁性体の磁性粒子は、例えばＦｅＣｏ、ＦｅＣｏＳｉ、ＮｉＦｅ、ＣｏＺｒＮｂ、ＦｅＮ、ＦｅＳｉ、ＦｅＡｌＳｉ、ＦｅＣｏＡｌ、及びＣｏＮｉＦｅから選択される材料を用いることができる。これらの材料は、飽和磁束密度が高く軟磁性特性が優れるために、少しの磁化でも吸収することができる。よって、高周波磁界の吸収効果が高くなるので、隣接トラックへの高周波磁界の漏れ磁界の低減が可能となる。その結果、隣接トラックへの書き込み能力が低減する。この結果、隣接トラックでの既情報の消去・劣化が抑制され、良好なビットエラーレートを得ることができる。
【００２８】
また、グラニュラ磁性体に含まれる磁性粒子の異方性磁界Ｈｋは、磁性粒子の異方性磁界Ｈｋとジャイロ定数γの積の、磁性体の共鳴周波数ｆｒｅｓが、ＳＴＯ１０が発生する高周波磁界の周波数ｆＳＴＯより、大きくなることが好ましい。なお、ここでジャイロ定数γは２．８８ＧＨｚ／ｋＯｅである。一般的に磁性体は、共鳴周波数ｆｒｅｓより小さい周波数の高周波磁界を効率よく吸収する。このため、高周波磁界の周波数ｆＳＴＯより磁性体の共鳴周波数ｆｒｅｓが大きくなるような異方性磁界Ｈｋを有する磁性粒子をもちいることにより、隣接トラックへの高周波磁界の漏れ磁界低減が可能となる。そして、隣接トラックでの既情報の消去・劣化が抑制され、良好なビットエラーレートを得ることができる。
【００２９】
上記の場合、グラニュラ磁性体の磁性粒子は、例えばＣｏＣｒ、ＣｏＣｒＰｔ、ＣｏＣｒＴａ、ＣｏＣｒＴａＰｔ、ＣｏＣｒＴａＮｂ、ＴｂＦｅＣｏ、ＣｏＰｔ、ＦｅＰｔ、ＣｏＰｄ、ＦｅＰｄ、及びＳｍＣｏから選択される材料を用いることもできる。これらの材料は、異方性磁界が大きい。異方性磁界が大きな材料は共鳴周波数が高くなる。よって、異方性磁界が大きな材料を用いることにより、高周波磁界を効率よく吸収することが可能となり、隣接トラックへの書き込み能力が低減する。この結果、隣接トラックでの既情報の消去・劣化が抑制され、良好なビットエラーレートを得ることができる。
【００３０】
グラニュラ磁性体の磁性粒子は球形であることが望ましい。球形とすることで形状異方性がなくなるため、高周波磁界の方向によらず、任意の方向の高周波磁界を吸収することができる。また、楕円形や柱状にしても良い。楕円形や柱状にすることで、形状異方性が大きくなり、形状異方性と結晶異方性磁界と合わせた異方性磁界を制御することができる。これにより、ＳＴＯ１０の発振周波数と合わせた、高周波磁界の吸収効果を高めることができる。
【００３１】
また、グラニュラ磁性体に含まれる磁性粒子は、超常磁性状態であることがより好ましい。
【００３２】
超常磁性状態とは、熱エネルギーにより磁性体の磁化方向がランダムになる状態をいう。通常、磁性体は異方性エネルギー（以下、Ｋｕ（ｅｒｇ／ｃｃ））磁化が一方向に向いている。しかしながら、磁性体の大きさを小さくしていくと、Ｋｕとグラニュラ磁性体に含まれる磁性粒子の体積の積（Ｖ（ｃｃ））が熱エネルギー（ｋＢＴ（ｅｒｇ／Ｋ・Ｋ））よりも小さくなる場合が生じる。このとき、磁性体の磁化の向きはランダムになり、超常磁性状態が生じる。なお、ｋＢはボルツマン定数であって、その値は１．３８×１０−１６（ｅｒｇ／Ｋ）である。
【００３３】
磁性体を超常磁性状態にすることにより、高周波磁界の向きと磁性粒子の異方性磁界の向きに依存せず、任意の高周波磁界に対し等価な吸収ができる。さらに、隣接トラックへの高周波磁界の漏れ磁界の低減が可能となる。その結果、隣接トラックでの既情報の消去・劣化が抑制され、良好なビットエラーレートを得ることができる。
【００３４】
次に上記したグラニュラ磁性体の磁性粒子がどのような条件の場合に超常磁性状態になるか説明する。
【００３５】
超常磁性状態が生じる条件を一般式で表わすと、
【００３６】
ＫｕＶ＜ｋＢＴ  …  （式１）となる。
【００３７】
まず、飽和磁束密度が高く、軟磁性特性に優れたＦｅＣｏ、ＦｅＣｏＳｉ、ＮｉＦｅ、ＣｏＺｒＮｂ、ＦｅＮ、ＦｅＳｉ、ＦｅＡｌＳｉ、ＦｅＣｏＡｌ、及びＣｏＮｉＦｅをグラニュラ磁性体の磁性粒子に用いる場合について説明する。
【００３８】
これらの材料のＫｕは、約１×１０４ｅｒｇ／ｃｃである。また、絶対温度Ｔ（Ｋ）は、ＳＴＯ１０を通電したときの発熱、ダイナミックフライングハイト（以下、ＤＦＨという）のヒータの発熱、及び環境温度による発熱等を考慮して４００Ｋとする。
【００３９】
これらを踏まえると、上記材料を用いた場合のグラニュラ磁性体の磁性粒子の大きさを約２２ｎｍ以下にすれば式１の条件を満たす。その結果、磁性粒子が超常磁性状態になることがわかる。
【００４０】
次に、異方性磁界が大きなＣｏＣｒ、ＣｏＣｒＰｔ、ＣｏＣｒＴａ、ＣｏＣｒＴａＰｔ、ＣｏＣｒＴａＮｂ、ＴｂＦｅＣｏ、ＣｏＰｔ、ＦｅＰｔ、ＣｏＰｄ、ＦｅＰｄ、及びＳｍＣｏをグラニュラ磁性体の磁性粒子に用いる場合について説明する。
【００４１】
式１の温度は、上記説明同様４００Ｋとする。
【００４２】
まず、ＣｏＣｒ、ＣｏＣｒＴａ、及びＴｂＦｅＣｏのＫｕは、約４×１０６ｅｒｇ／ｃｃである。この場合、磁性粒子の大きさが約３ｎｍ以下であれば式１を満たす。
【００４３】
次に、ＣｏＣｒＰｔ、ＣｏＣｒＴａＰｔ、ＣｏＣｒＴａＮｂ、ＣｏＰｔ、及びＣｏＰｄのＫｕは、約８×１０６ｅｒｇ／ｃｃである。この場合、磁性粒子の大きさが約２．５ｎｍ以下であれば式１を満たす。
【００４４】
次に、ＦｅＰｄのＫｕは、約５×１０７ｅｒｇ／ｃｃである。また、ＳｍＣｏのＫｕは約１×１０８ｅｒｇ／ｃｃである。この場合、これらの材料を用いて式１を満たすには磁性粒子の大きさが１ｎｍ以下でなければならない。しかし、これらの材料は、磁性粒子の大きさが約２ｎｍから約３ｎｍ以下であれば超常磁性状態になると考えられる。これは、この大きさまでは磁性粒子の一部が規則化し、Ｋｕが約５×１０６ｅｒｇ／ｃｃとなっていると考えられるからである。
【００４５】
なお、規則化とは、原子が単位結晶格子内で規則的に配列し、長周期の規則性が現れる場合をいう。規則化していない場合、結晶格子内の各原子サイトには、ランダムな元素が入りうる。一方、規則化する場合、各原子サイトに、含まれる元素が限定される。一部が規則化する場合、各原子のサイト毎に、含まれやすい元素、含まれにくい元素の区別が生じ、これが長周期の規則性となる。なお、規則化の程度は、規則化した磁性粒子を含むグラニュラ磁性体のX線回折像、もしくは、透過型電子顕微鏡回折像を測定により判断することができる。すなわち、規則化すると、規則化に伴う、ランダムな場合には現れなかった特徴的なピークが現れる。これは長周期の規則性により、新たな回折パターンが生じたためである。
【００４６】
なお、磁性粒子の下限は限定されないが、設計を考慮すると約１ｎｍ以上であることが好ましい。
【００４７】
グラニュラ磁性体の母材は、例えばＡｌ２Ｏ３、ＳｉＯ２等の酸化物、ＳｉＮ、ＡｌＮ等の窒化物、ＳｉＣ等の炭化物を用いることができる。これらの母材を用いることで、母材と磁性粒子とが良好に相分離し、磁性粒子の磁気特性を良好に保ったまま、微細な磁性粒子を分散することができる。また、隣接トラックへの高周波磁界の漏れ磁界の低減が可能となる。その結果、隣接トラックでの既情報の消去・劣化が抑制され、良好なビットエラーレートを得ることができる。また、これらの母材は絶縁体であるため、ＳＴＯ１０に通電する主磁極６１（第１の電極）、及びリターンパス６２（第２の電極）を電気的に絶縁することができ、ＳＴＯ１０に安定して通電することが可能である。
【００４８】
また、ＳＴＯ１０と高周波シールド６３は、直接接していてもよいし、Ａｌ２Ｏ３等の非磁性膜を介して分離していてもよい。これは、主磁極６１直下のトラックの高周波磁界の強度と隣接トラックでの高周波磁界の強度を最適にし、良好なビットエラーレートを得るためである。
【００４９】
図４は、書き込みヘッド部６０の構成を示す図である。
【００５０】
図４に示すように、ＳＴＯ１０は、主磁極６１とリターンパス６２との間に、スピン注入層３０（第２の磁性体層）とスピン透過率の高い中間層２２と発振層１０ａ（第１の磁性体層）が積層された構造を有する。また、主磁極６１は、磁界をＳＴＯ１０に印加する役割と、発振層１０ａ（第１の磁性体層）を通じてＳＴＯ１０に電流を流す第１の電極としての役割を有する。リターンパス６２は、主磁極６１から印加された磁界をリターンパス６２へ導く役割と、スピン注入層３０（第２の磁性体層）を通じてＳＴＯ１０に電流を流す第２の電極としての役割を有する。
【００５１】
ＳＴＯ１０は、主磁極６１（第１の電極）からリターンパス６２（第２の電極に駆動電子流を流すことにより、発振層１０ａから高周波磁界を発生することができる。このＳＴＯ１０から発生する高周波磁界を磁気記録媒体８０上に印加することにより、高周波アシスト記録を実現する。
【００５２】
書き込みヘッド部６０は、励磁コイルに書き込み電流が供給されると、主磁極６１から磁界を発生して磁気記録媒体８０上に垂直方向の磁気記録を行なう。すなわち、書き込みヘッド部６０は、主磁極６１とリターンパス６２の間に磁界を発生する。さらに、磁界はＳＴＯ１０に対しても印加される。スピン注入層３０及び発振層１０ａの保持力はＳＴＯ１０に印加される磁界より小さいため、ＳＴＯ１０の発振角速度ベクトルはＳＴＯ１０に印加される磁界に応じた極性となる。このため、駆動電流の極性が一定であっても、磁気記録媒体８０上の楕円偏光した高周波磁界の角速度ベクトルの極性は、記録磁界と同一方向の極性となり、書き込み電流の極性に関わらず、良好な記録を実現することができる。
【００５３】
以上のように、ＳＴＯ１０のトラック幅方向の両側に高周波シールド６３を設置することにより、隣接トラックへの高周波磁界の漏洩を防止することができる。したがって、主磁極６１直下のトラックでの高周波磁界を保ち、良好なビットエラーレートを実現したまま、隣接トラックへの影響と隣接トラックでのビットエラーレートの劣化を低減することができるので、確実な高周波アシスト記録を実現できる。
（変形例１）
【００５４】
図５は、第１の実施形態に係る磁気記録ヘッド１１０の第１の変形例を示す図である。図５は、磁気記録媒体８０の表面から垂直方向に書き込みヘッド部６０を眺めた図である。矢印８５は磁気記録媒体８０の進行方向を示す。トラック幅方向は、図５に示す紙面平行方向に存在する。
【００５５】
本変形例では、ＳＴＯ１０の主磁極６１に隣接する側の面とは反対側の面以外の位置に、第１の材料６３ａ（第１シールド）の積層構造が設けられている。そして、第１の材料６３ａが設けられていないＳＴＯ１０の面と第１の材料６３aを取り囲むように第２の材料６３ｂ（第２シールド）の積層構造が設けられている。すなわち、媒体対向面に平行な第１の方向において主磁極６１に隣接してＳＴＯ１０が設けられている。そして、第１の方向と直交するトラック幅方向（第２の方向）において、主磁極６１及びＳＴＯ１０を挟んで第１の材料６３aが設けられている。さらに、トラック幅方向に垂直な方向（第１の方向）において、主磁極６１のＳＴＯ１０に隣接する側とは反対の側に第１の材料６３aが設けられている。また、媒体対向面を含む平面において第１の材料６３aが第２の材料６３ｂに覆われている。そして、トラック幅方向に垂直な方向（第１の方向）においてＳＴＯ１０の主磁極６１に隣接する側とは反対の側が第２の材料６３ｂに覆われている。なお、トラック幅方向において主磁極６１に第１の材料６３a及び第２の材料６３ｂが設けられていなくてもよい。またトラック幅方向に垂直な方向において主磁極６１のＳＴＯ１０に隣接する側とは反対の側に第１の材料６３a及びそれを覆う第２の材料６３ｂが設けられていなくてもよい。
【００５６】
第１の材料６３ａは、グラニュラ磁性体からなる。また、第２の材料６３ｂは合金磁性体からなる。第２の材料６３ｂは、リターンパス６２の役割もする。
【００５７】
このような形状とすることで、主磁極６１から発生する磁界が隣接トラックへ漏れないようにすることができる。さらに、第１の材料６３ａがＳＴＯ１０のトラック幅方向の両側に設置されているため、ＳＴＯ１０から発生する高周波磁界が隣接トラックへ漏れないようにすることができる。このように、記録磁界の漏れと高周波磁界の漏れを抑制することにより、隣接トラックでの既情報の消去・劣化を抑制することができる。その結果、主磁極６１直下のトラック及び隣接トラックにおいて良好なビットエラーレートを得ることができる。
【００５８】
また、第１の材料６３ａは、第２の材料６３ｂよりＳＴＯ１０近傍に位置している。第１の材料６３ａをＳＴＯ１０近傍に設置することにより、隣接トラック幅方向での高周波磁界強度の磁界の傾度を大きくすることが出来る。この結果、主磁極６１直下のトラックでの高周波磁界強度を保ったまま、隣接トラックでの高周波磁界強度を効果的に低減することができる。その結果、隣接トラックでの既情報の消去・劣化の抑制、および、隣接トラックでのビットエラーレートの確保ができる。
【００５９】
第２の材料６３ｂは、例えばＦｅＣｏ、ＦｅＣｏＳｉ、ＮｉＦｅ、ＣｏＺｒＮｂ、ＦｅＮ、ＦｅＳｉ、ＦｅＡｌＳｉ、ＦｅＣｏＡｌ、及びＣｏＮｉＦｅ等の高い飽和磁束密度および軟磁性特性に優れた材料を用いることができる。これらの材料は、第１の材料６３ａと同じ材料を含む。しかし、第１の材料６３ａはグラニュラ磁性体であるために、グラニュラ磁性体を構成する母材が非磁性な分、飽和磁束密度が第２の材料６３ｂと比較して小さい。
【００６０】
このようにすることで、記録磁界が高周波シールド６３に吸収される際に一部の領域に集中せず、隣接トラックへの漏洩磁界を小さくすることが出来る。この結果、隣接トラックでの既情報の消去・劣化を抑制し、良好なビットエラーレートを得ることができる。
【００６１】
また、高い飽和磁束密度及び軟磁性特性に優れた材料を用いることにより、主磁極６１からの記録磁界の隣接トラックへの漏洩の低減が可能となり、隣接トラックへの書き込み能力が低減する。この結果、隣接トラックでの既情報の消去・劣化が抑制され、隣接トラックでも良好なビットエラーレートを得ることができる。
【００６２】
また、主磁極６１直下のトラックの高周波磁界の強度と隣接トラックでの高周波磁界の強度を最適にするために、ＳＴＯ１０と高周波シールド６３とは、アルミナ等の非磁性膜を介して分離していてもよい。このようにすることで、良好なビットエラーレートを得ることができる。
【００６３】
また、主磁極６１直下のトラックの記録磁界強度と、隣接トラックでの記録磁界強度とを最適にするために、主磁極と第１の材料６３ａ、及び第１の材料６３ａと第２の材料６３ｂは、アルミナ等の非磁性膜を介して分離していてもよい。このようにすることで、良好なビットエラーレートを得ることができる。
【００６４】
また、主磁極６１直下のトラックの高周波磁界の強度を最適にするために、トラック幅方向に垂直な方向において、ＳＴＯ１０とリターンパス６２を、第１の材料６３ａや非磁性膜を介して分離しても良い。このようにすることで、良好なビットエラーレートを得ることができる。
【００６５】
以上のように本実施形態の磁気記録ヘッド１１０であれば、直下のトラックでの高周波磁界を保ち、良好なビットエラーレートを実現したまま、隣接トラックへの影響と隣接トラックでのビットエラーレートの劣化を低減することで、確実な高周波アシスト記録を実現できる。
（変形例２）
【００６６】
図６は、第１の実施形態に係る磁気記録ヘッド１１０の第２の変形例を示す図である。図６は、磁気記録媒体８０の表面から垂直方向に書き込みヘッド部６０を眺めた図である。矢印８５は磁気記録媒体８０の進行方向を示す。トラック幅方向は、図６に示す紙面平行方向に存在する。
【００６７】
本変形例では、主磁極６１は第１の電極と兼用しており、リターンパス６２は第２の電極と兼用している。これら第１の電極（主磁極６１）と第２の電極（リターンパス６２）は、ＳＴＯ１０に接続している。第１の電極（主磁極６１）と第２の電極（リターンパス６２）により、ＳＴＯ１０に通電することができる。
【００６８】
また、主磁極６１及びリターンパス６２は電極として兼用しなくても良い。すなわち、主磁極６１又はリターンパス６２が電極として兼用しない場合には、電極として兼用しない方の主磁極６１又はリターンパス６２のどちらか一方に別の電極を設けることでＳＴＯ１０に通電させることができる。つまり、高周波シールド６３が存在しない方向においてトラック幅方向、又はトラック幅方向に垂直な方向に別の電極を設けてＳＴＯ１０に通電しても良い。この場合、主磁極６１とリターンパス６２をバックヨーク部で接触させることが可能となるため、主磁極６１とリターンパス６２の磁気回路の磁気抵抗を低減し、回路効率を良くすることが可能となる。すなわち、励磁コイルに印加する電流が少なくても、大きな記録磁界強度を達成することが可能となる。その結果、該当トラックへの書き込み能力が増大し、良好なビットエラーレートを得ることができる。
【００６９】
また、高周波シールド６３は、第１の材料６３ａと第２の材料６３ｂとが積層された構造となっている。高周波シールド６３は片側のトラック幅方向（第２の方向）と片側のトラック幅方向に垂直な方向（第１の方向）のみに存在する。また、第１の材料６３ａは、トラック幅方向において、主磁極６１及びＳＴＯ１０と第２の材料６３ｂの間に設けられている。すなわち、媒体対向面に平行な第１の方向において主磁極６１に隣接してＳＴＯ１０が設けられている。そして第１の方向と直交するトラック幅方向（第２の方向）において、主磁極６１とＳＴＯ１０の片側に第１の材料６３aが設けられている。また、トラック幅方向において第１の材料６３aの主磁極６１及びＳＴＯ１０に隣接する側とは反対の側に第２の材料６３ｂが設けられている。そして、トラック幅方向に垂直な方向においてＳＴＯ１０の主磁極６１に隣接するとは反対の側に第２の材料６３ｂが設けられている。なお、トラック幅方向に垂直な方向において主磁極６１のＳＴＯ１０に隣接する側とは反対の側に第１の材料６３a及びそれを覆う第２の材料６３ｂが設けられていてもよい。
【００７０】
片側に高周波シールド６３が存在しないために、主磁極６１の直下のトラックへの記録磁界は大きくなる。そして、高周波シールド６３が存在する側の隣接トラックへの記録磁界の漏れ磁界の低減ができる。その結果、トラック幅方向での記録磁界の遮蔽を大きくすることができる。
【００７１】
さらに、高周波シールド６３がＳＴＯ１０の片側のトラック幅方向に設置してある。このため、ＳＴＯ１０直下のトラックへの高周波磁界の強度を保ったまま、高周波シールド６３が存在する側の隣接トラックへの高周波磁界の漏れ磁界の低減ができる。その結果、トラック幅方向での高周波磁界の遮蔽を大きくすることができる。
【００７２】
このように、記録磁界と高周波磁界の漏れ磁界を低減することにより、高周波シールド６３が存在する側の隣接トラックでの既情報の消去・劣化が抑制したまま、良好なビットエラーレートを得ることができる。
【００７３】
さらに、主磁極６１直下のトラックの記録後、高周波シールド６３が存在しない側のトラックへ順に情報を書き込むことで、トラックピッチを主磁極６１のトラック幅方向の幅、又はＳＴＯ１０のトラック幅方向の幅よりも小さくすることができる。この結果、狭トラックピッチ化による、高密度記録が実現する。
【００７４】
トラック幅方向において、高周波シールド６３が存在する側の主磁極６１とＳＴＯ１０のトラック端部がほぼ一致することが好ましい。
【００７５】
主磁極６１とＳＴＯ１０のトラック端部を一致させることにより、主磁極６１による記録磁界のトラック幅方向の磁界をより遮蔽することができる。また、ＳＴＯ１０による高周波磁界のトラック幅方向の磁界をより遮蔽することができる。これにより、主磁極６１直下のトラックでのビットエラーレートを良好に保ったまま、隣接トラックでの既情報の消去・劣化を効果的に抑制することが出来、良好なビットエラーレートを隣接トラックでも実現できる。
【００７６】
また、主磁極６１が発生する記録磁界は、主磁極６１のトラック幅方向の大きさが５０ｎｍ以下になると急激に劣化することが知られている。このため、主磁極６１のトラック幅方向の大きさは５０ｎｍ以上とすることが好ましい。これにより、直下のトラックにて安定した記録に必要な記録磁界を得ることができる。
【００７７】
一方、ＳＴＯ１０のトラック幅方向の大きさが５０ｎｍ以上となると、発振に必要な電流密度が急激に増加することが知られている。このため、発熱により安定した発振に必要な電流を供給することが困難となる。よって、ＳＴＯ１０のトラック幅方向の大きさは５０ｎｍ以下とすることが好ましい。これにより、高周波アシスト記録に十分な高周波磁界を得ることができる。
【００７８】
さらに、主磁極６１のトラック幅方向の大きさは、ＳＴＯ１０のトラック幅方向の大きさより、大きくすることが好ましい。これにより、安定した高周波アシスト記録が実現する。
【００７９】
以上のように本実施形態の磁気記録ヘッド１１０であれば、直下のトラックでの高周波磁界を保ち、良好なビットエラーレートを実現したまま、隣接トラックへの影響を低減し、隣接トラックでのビットエラーレートの劣化を低減することで、確実な高周波アシスト記録を実現できる。
（第２の実施形態）
【００８０】
図７は、本発明の第２の実施形態に係る磁気記録装置１５０を示す図である。図８は、本発明の第２の実施形態に係る磁気記録装置１５０の一部を示す図である。
【００８１】
図７に示すように、本実施形態に係る磁気記録装置１５０は、ロータリーアクチュエータを用いた形式の装置である。同図において、記録用媒体ディスク１８０は、スピンドルモータ４に装着され、駆動装置制御部（図示せず）からの制御信号に応答するモータ（図示せず）により矢印Ａの方向に回転する。本実施形態に係る磁気記録装置１５０は、複数の記録用媒体ディスク１８０を備えたものとしても良い。
【００８２】
記録用媒体ディスク１８０に格納する情報の記録再生を行うヘッドスライダー３は、既に説明したような構成を有し、薄膜状のサスペンション１５４の先端に取り付けられている。ここで、ヘッドスライダー３は、例えば、本発明の実施形態に係る磁気記録ヘッド１１０のいずれかをその先端付近に搭載している。
【００８３】
記録用媒体ディスク１８０が回転すると、サスペンション１５４による押付け圧力とヘッドスライダー３の媒体対向面（ＡＢＳともいう）で発生する圧力とがつりあい、ヘッドスライダー３の媒体対向面は、記録用媒体ディスク１８０の表面から所定の浮上量をもって保持される。なお、ヘッドスライダー３が記録用媒体ディスク１８０と接触するいわゆる「接触走行型」としても良い。
【００８４】
サスペンション１５４は、駆動コイル（図示せず）を保持するボビン部などを有するアクチュエータアーム１５５の一端に接続されている。アクチュエータアーム１５５の他端には、リニアモータの一種であるボイスコイルモータ１５６が設けられている。ボイスコイルモータ１５６は、アクチュエータアーム１５５のボビン部に巻き上げられた駆動コイル（図示せず）と、このコイルを挟み込むように対向して配置された永久磁石及び対向ヨークからなる磁気回路とから構成することができる。
【００８５】
アクチュエータアーム１５５は、軸受部１５７の上下２箇所に設けられたボールベアリング（図示せず）によって保持され、ボイスコイルモータ１５６により回転摺動が自在にできるようになっている。その結果、磁気記録ヘッドを記録用媒体ディスク１８０の任意の位置に移動できる。
【００８６】
図８（ａ）は、本実施形態に係る磁気記録装置の一部の構成を例示しており、ヘッドスタックアセンブリ１６０の拡大斜視図である。
【００８７】
また、図８（ｂ）は、ヘッドスタックアセンブリ１６０の一部となる磁気ヘッドアセンブリ（ヘッドジンバルアセンブリ）１５８を例示する斜視図である。
【００８８】
図８（ａ）に示すように、ヘッドスタックアセンブリ１６０は、軸受部１５７と、この軸受部１５７から延出したヘッドジンバルアセンブリ１５８と、軸受部１５７からＨＧＡと反対方向に延出していると供にボイスコイルモータのコイル１６２を支持した支持フレーム１６１を有している。
【００８９】
また、図８（ｂ）に示すように、ヘッドジンバルアセンブリ１５８は、軸受部１５７から延出したアクチュエータアーム１５５と、アクチュエータアーム１５５から延出したサスペンション１５４と、を有している。
【００９０】
サスペンション１５４の先端には、ヘッドスライダー３が取り付けられている。そして、ヘッドスライダー３には、本発明の実施形態に係る磁気記録ヘッドのいずれかが搭載される。
【００９１】
すなわち、本発明の実施形態に係る磁気ヘッドアセンブリ（ヘッドジンバルアセンブリ）１５８は、本発明の実施形態に係る磁気記録ヘッドと、前記磁気記録ヘッドが搭載されたヘッドスライダー３と、ヘッドスライダー３を一端に搭載するサスペンション１５４と、サスペンション１５４の他端に接続されたアクチュエータアーム１５５と、を備える。
【００９２】
サスペンション１５４は、信号の書き込み及び読み取り用、浮上量調整のためのヒータ用、スピントルク発振子用のリード線（図示せず）を有し、このリード線とヘッドスライダー３に組み込まれた磁気記録ヘッド１１０の各電極とが電気的に接続される。また、電極パッド（図示せず）が、ヘッドジンバルアセンブリ１５８に設けられる。本具体例においては、電極パッドは８個設けられる。すなわち、主磁極６１のコイル用の電極パッドが２つ、磁気再生素子７１用の電極パッドが２つ、ＤＦＨ用の電極パッドが２つ、スピントルク発振子１０用の電極パッドが２つ、設けられる。
【００９３】
そして、磁気記録ヘッドを用いて磁気記録媒体への信号の書き込みと読み出しを行う、信号処理部１９０が設けられる。信号処理部１９０は、例えば、図７に例示した磁気記録装置１５０の図面中の背面側に設けられる。信号処理部１９０の入出力線は、ヘッドジンバルアセンブリ１５８の電極パッドに接続され、磁気記録ヘッドと電気的に結合される。
【００９４】
このように、本実施形態に係る磁気記録装置１５０は、磁気記録媒体と、上記の実施形態に係る磁気記録ヘッドと、磁気記録媒体と磁気記録ヘッドとを離間させ、または、接触させた状態で対峙させながら相対的に移動可能とした可動部と、磁気記録ヘッドを磁気記録媒体の所定記録位置に位置合せする位置制御部と、磁気記録ヘッドを用いて磁気記録媒体への信号の書き込みと読み出しを行う信号処理部と、を備える。
【００９５】
すなわち、上記の磁気記録媒体として、記録用媒体ディスク１８０が用いられる。
【００９６】
上記の可動部は、ヘッドスライダー３を含むことができる。
【００９７】
また、上記の位置制御部は、ヘッドジンバルアセンブリ１５８を含むことができる。
【００９８】
すなわち、本実施形態に係る磁気記録装置１５０は、磁気記録媒体と、本発明の実施形態に係る磁気ヘッドアセンブリと、前記磁気ヘッドアセンブリに搭載された前記磁気記録ヘッドを用いて前記磁気記録媒体への信号の書き込みと読み出しを行う信号処理部と、を備える。
【００９９】
本実施形態に係る磁気記録装置１５０によれば、上記の実施形態に係る磁気記録ヘッドを用いることで、記録密度を高めた高周波磁界アシスト記録を可能とする磁気記録装置が提供できる。
【０１００】
なお、本発明の実施形態に係る磁気記録装置において、スピントルク発振子１０は、主磁極６１のトレーリング側に設けることができる。この場合は、磁気記録媒体８０の磁気記録層８１は、まず、主磁極６１に対向し、その後でスピントルク発振子１０に対向する。
【０１０１】
また、本発明の実施形態に係る磁気記録装置において、スピントルク発振子１０は、主磁極６１のリーディング側に設けることができる。この場合は、磁気記録媒体８０の磁気記録層８１は、まず、スピントルク発振子１０に対向し、その後で主磁極６１に対向する。
【０１０２】
以下、上記の実施形態の磁気記録装置に用いることができる磁気記録媒体について説明する。
【０１０３】
図９は、本発明の実施形態に係る磁気記録装置の磁気記録媒体の構成を例示する模式的斜視図である。
【０１０４】
図９に示すように、本発明の実施形態に係る磁気記録装置に用いられる磁気記録媒体８０は、非磁性体８７（あるいは空気）により互いに分離された垂直配向した多粒子系の磁性ディスクリートトラック８６（記録トラックともいう）を有する。この磁気記録媒体８０がスピンドルモータ４により回転され、媒体移動方向８５に向けて移動する際に、上記の実施形態に係る磁気記録ヘッドのいずれかが設けられ、これにより、記録磁化８４を形成することができる。
【０１０５】
このように、本発明の実施形態に係る磁気記録装置においては、磁気記録媒体８０は、隣接し合う記録トラック同士が非磁性部材を介して形成されたディスクリートトラック媒体とすることができる。
【０１０６】
スピントルク発振子１０の記録トラック幅方向の幅（ＴＳ）を記録トラック８６の幅（ＴＷ）以上で、かつ記録トラックピッチ（ＴＰ）以下とすることによって、スピントルク発振子１０から発生する漏れ高周波磁界による隣接記録トラックの保磁力低下を大幅に抑制することができる。このため、本具体例の磁気記録媒体８０では、記録したい記録トラック８６のみを効果的に高周波磁界アシスト記録することができる。
【０１０７】
本具体例によれば、いわゆる「べた膜状」の多粒子系垂直媒体を用いるよりも、狭記録トラックすなわち高記録トラック密度の高周波アシスト記録装置を実現することが容易になる。また、高周波磁界アシスト記録方式を利用し、さらに従来の磁気記録ヘッドでは書き込み不可能なＦｅＰｔやＳｍＣｏ等の高磁気異方性エネルギー（Ｋｕ）の媒体磁性材料を用いることによって、媒体磁性粒子をナノメートルのサイズまでさらに微細化することが可能となり、線記録密度方向（ビット方向）においても、従来よりも遥かに線記録密度の高い磁気記録装置を実現することができる。
【０１０８】
本実施形態に係る磁気記録装置によれば、ディスクリート型の磁気記録媒体８０において、高い保磁力を有する磁気記録層に対しても確実に記録することができ、高密度かつ高速の磁気記録ができる。
【０１０９】
図１０は、本発明の実施形態に係る磁気記録装置の別の磁気記録媒体の構成を例示する模式的斜視図である。
【０１１０】
図１０に示すように、本発明の実施形態に係る磁気記録装置に用いることができる別の磁気記録媒体８０は、非磁性体８７により互いに分離された磁気記録媒体リートビット８８を有する。この磁気記録媒体８０がスピンドルモータ４により回転され、媒体移動方向８５に向けて移動する際に、本発明の実施形態に係る磁気記録ヘッドにより、記録磁化８４を形成することができる。
【０１１１】
このように、本発明の実施形態に係る磁気記録装置においては、磁気記録媒体８０は、非磁性部材を介して孤立した記録磁性ドットが規則的に配列形成されたディスクリートビット媒体とすることができる。
【０１１２】
本実施形態に係る磁気記録装置によれば、ディスクリート型の磁気記録媒体８０において、高い保磁力を有する磁気記録層に対しても確実に記録することができ、高密度かつ高速の磁気記録ができる。
【０１１３】
この具体例においても、スピントルク発振子１０の記録トラック幅方向の幅（ＴＳ）を記録トラック８６の幅（ＴＷ）以上で、かつ記録トラックピッチ（ＴＰ）以下とすることによって、スピントルク発振子１０から発生する漏れ高周波磁界による隣接記録トラックの保磁力低下を大幅に抑制することができるため、記録したい記録トラック８６のみを効果的に高周波磁界アシスト記録することができる。本具体例を用いれば、使用環境下での熱揺らぎ耐性を維持できる限りは、磁気記録媒体リートビット８８の高磁気異方性エネルギー（Ｋｕ）化と微細化を進めることで、１０Ｔｂｉｔｓ／ｉｎｃｈ２以上の高い記録密度の高周波磁界アシスト記録装置を実現できる可能性がある。
【符号の説明】
【０１１４】
３  …  ヘッドスライダー、３Ａ  …  空気流入側、３Ｂ  …  空気流出側、４  …  スピンドルモータ、１０  …  スピントルク発振子、１０ａ  …  発振層（第１磁性体層）、２２  …  中間層、３０  …  スピン注入層（第２磁性体層）、６０  …  書き込みヘッド部、６１  …  主磁極、６１ａ  …  媒体対向面（第１面）、６１ｂ  …  ＳＴＯ対向面（第２面）、６２  …  リターンパス（第２シールド）、６３  …  高周波シールド（第１シールド）、６３ａ  …  第１の材料（第１シールド）、６３ｂ  …  第２の材料（第２シールド）、７０  …  再生ヘッド部、７１  …  磁気再生素子、７２ａ  …  第１磁気シールド層、７２ｂ  …  第２磁気シールド層、８０  …  磁気記録媒体、８１  …  磁気記録層、８２  …  媒体基板、８４  …  記録磁化、８５  …  媒体移動方向、８６  …  記録トラック、８７  …  非磁性体、８８  …  磁気記録媒体リートビット、１１０  …  磁気記録ヘッド、１５０  …  磁気記録装置、１５４  …  サスペンション、１５５  …  アクチュエータアーム、１５６  …  ボイスコイルモータ、１５７  …  軸受部、１５８  …  ヘッドジンバルアセンブリ（磁気ヘッドアセンブリ）、１６０  …  ヘッドスタックアセンブリ、１６１  …  支持フレーム、１６２  …  コイル、１８０  …  記録用媒体ディスク、１９０  …  信号処理部
【図１】
2011170925.tif 000003
【図２】
2011170925.tif 000004
【図３】
2011170925.tif 000005
【図４】
2011170925.tif 000006
【図５】
2011170925.tif 000007
【図６】
2011170925.tif 000008
【図７】
2011170925.tif 000009
【図８】
2011170925.tif 000010
【図９】
2011170925.tif 000011
【図１０】
2011170925.tif 000012